(57)【要約】【課題】  プラットホームドアと車両との間に取り残された乗降客や、車両内部から突出した物体を検知する。【解決手段】  距離画像センサ１４が、プラットホームドア１と車両８との間の撮像領域１２内の物体までの距離画像データを検出する。演算部１６が、距離画像データのうち、処理領域２０内にあるデータを抽出し、抽出されたデータが所定値以上の大きさであるか否か判断し、前記所定値以上である場合、外部に検知信号を出力する。【選択図】        図１
2011093514.tif 000002
【特許請求の範囲】
【請求項１】
プラットホームドアと車両との間に存在する人又は物体を含む三次元エリア内の三次元データを検知するタイムオブフライト方式の三次元カメラと、
前記三次元エリア内すべての三次元データのうち、所定の三次元エリア内にある前記三次元データを抽出し、前記抽出された三次元データが所定値以上の大きさであるか否か判断し、当該判断結果に基づいて、外部に検知信号を出力する演算部とを、
具備するプラットホームドアの安全装置であって、
前記所定の三次元エリアは、前記車両のドアの戸先に対応する部分とそれ以外の部分とに区画され、前記戸先に対応する部分では、前記抽出された三次元データの中で隣接する三次元データの変化率が第１の所定値以上の大きさである複数の点で区画される部分の三次元データについて第２の所定値以上の大きさであるか前記演算部が判断し、第２の所定値以上の大きさである場合に外部に第１の検知信号を出力し、前記戸先に対応する部分以外の部分にある三次元データを抽出し、抽出された三次元データが第３の所定値以上の大きさであるか否か前記演算部が判断し、前記第３の所定値以上である場合に、外部に第２の検知信号を出力するプラットホームドアの安全装置。
【請求項２】
請求項１記載のプラットホームドアの安全装置において、前記演算部は、第１及び第２の検知信号を異ならせているプラットホームドアの安全装置。
【請求項３】
請求項１乃至２いずれか記載のプラットホームの安全装置において、前記所定の三次元エリアの前記車両側の側面は、前記車両が建築物に非干渉に定められた車両限界または建築物が車両に非干渉に定められた建築限界に沿って定められているプラットホームドアの安全装置。
【請求項４】
請求項１乃至３いずれか記載のプラットホームドアの安全装置において、前記所定の三次元エリアの前記車両側の側面は、前記三次元カメラから得られた三次元データのうち、前記車両の側壁に相当するデータから構成される面に基づいて設定されるプラットホームドアの安全装置。
【請求項５】
請求項１乃至４いずれか記載のプラットホームドアの安全装置において、前記三次元エリアは、プラットホームの床を含み、前記抽出された三次元データは前記床に相当する部分を含み、前記演算部において、前記抽出された三次元データまたは当該抽出された三次元データ中で隣接する三次元データの変化率が三次元カメラ取付状態確認用の所定値と比較されるプラットホームドアの安全装置。
【請求項６】
請求項５記載のプラットホームドアの安全装置において、前記演算部は、前記抽出された三次元データまたは当該抽出された三次元データ中で隣接する三次元データの変化率に代えて、前記抽出された三次元データに基づいて決定された前記三次元カメラから前記所定のエリアが前記床と交差する部分までの距離を算出し、この距離を前記三次元カメラ取付状態確認用の所定値と比較するプラットホームドアの安全装置。
【発明の詳細な説明】
【技術分野】
【０００１】
本発明は、プラットホームに設置されるプラットホームドアに設けられる安全装置に関し、特に、三次元データを取得可能なセンサを使用したものに関する。
【背景技術】
【０００２】
プラットホームドアの安全装置としては、例えば特許文献１、２に開示されているようなものがある。
【０００３】
特許文献１の技術によれば、プラットホームドアのドアと車両との間の領域において、ドアの両側であって車両から所定の距離に２つのアームを配置し、これら２つのアーム間に光線を引き通すように、透過型光電センサの投光器が一方のアームのプラットホームから所定の高さ位置に設けられ、受光器が他方のアームのプラットホームから所定の高さ位置に設けられている。特許文献２の技術によれば、プラットホームドアのドアと車両との間の領域をカメラによって二次元で撮影し、この撮影画像と基準画像とを比較して、両者の相違部分を検出し、その相違部分の高さを算出し、その高さから車両の走行の障害となるものが存在しているか判断している。
【先行技術文献】
【特許文献】
【０００４】
【特許文献１】特開２００６−２２４８４２号公報
【特許文献２】特開２００３−１４６２０１号公報
【発明の概要】
【発明が解決しようとする課題】
【０００５】
特許文献１の技術によれば、車両から所定の距離の位置であってプラットホームから所定の高さの位置にある線分上に、人や物体が存在するか否かを判定することができる。しかし、車両から所定の距離の位置よりも車両側に寄った位置や、プラットホームから所定の高さ位置に存在しないもの、例えば車両のドアから突出している突出物、具体的には傘やバッグを検出することはできない。特許文献２の技術によれば、車両とプラットホームドアとの間を二次元で撮影している画像と基準画像とを比較しているので、車両のドアからの突出物の有無は検出できるが、突出物の大きさを三次元的に測定することができないので、突出物が車両の運行上、問題があるほどにプラットホーム側に突出しているか否かを判断することはできない。
【０００６】
本発明は、プラットホームドアと車両との間に取り残された乗降客を検知可能であって、さらに車両内部から突出した物体があった場合、その物体が車両運行上、問題があるか否かを判断できるプラットホームドアの安全装置を提供することを目的とする。
【課題を解決するための手段】
【０００７】
本発明の一態様のプラットホームドアの安全装置は、タイムオブフライト方式の三次元カメラを有している。三次元カメラは、プラットホームドアと車両との間に存在する人又は物体を含む三次元エリア内の三次元データを検知する。演算部が、前記三次元エリア内すべての三次元データのうち、所定の三次元エリア内にある前記三次元データを抽出し、前記抽出された三次元データが所定値以上の大きさであるか否か判断し、当該判断結果に基づいて、外部に検知信号を出力する。
【０００８】
前記所定の三次元エリアは、前記車両のドアの戸先に対応する部分とそれ以外の部分とに区画することができる。この場合、前記戸先に対応する部分では、前記抽出された三次元データの中で隣接するデータの変化率が第１の所定値以上の大きさである複数の点で区画される部分の三次元データについて第２の所定値以上の大きさであるか前記演算部が判断する。第２の所定値以上の大きさである場合に外部に第１の検知信号が出力される。また、演算部は、前記戸先に対応する部分以外の部分にある三次元データを抽出し、抽出された三次元データが第３の所定値以上の大きさであるか否か前記演算部が判断し、前記第３の所定値以上である場合に、外部に第２の検知信号を出力する。
【０００９】
このように構成されたプラットホームドアの安全装置では、三次元カメラからの三次元データを使用して人又は物体の大きさを決定することができる。そして、戸先の部分に対応する部分では、三次元データの隣接する部分の変化率が第１の所定値以上に変化している複数の点で区画された部分のデータを使用している。
【００１０】
よって、プラットホームドアと車両との間に人や物が存在するか否かはもちろん、車両からの突出物がどの程度突出しているかも検知することができ、どちらの場合でも、車両の運行上問題があると検知信号を出力して、その旨を知らせることができる。更にノイズの影響を抑えつつ、細長いものや薄いものを検知することができる。更に、このデータのみで戸先の部分に突出物が存在するか否かを判断することができる。従って、二次元のカメラで撮影した場合には、差分をとるために必要な参照用のデータ、すなわち車両が停車した後で、かつ車両の扉が開く前のデータを予め用意しておく必要が無く、処理が確実かつ容易となる。なお、タイムオブフライト方式の三次元カメラを用いるため、三次元データを一瞬で得ることができ、短時間で処理が可能となるし、機械的な走査部分が無いので構成が簡単であり、耐久性も高い。
【００１１】
更に、前記演算部は、第１及び第２の検知信号を異ならせることができる。このように構成することによって、プラットホーム上に乗降客が取り残されているのか、車両からの突出物が車両の運行の障害になるほど突出しているのか、識別することができる。
【００１２】
前記所定の三次元エリアの前記車両側の側面を、前記車両が建築物に非干渉に定められた車両限界または建築物が車両に非干渉に定められた建築限界に沿って定めることができる。
【００１３】
このように構成すると、車両限界に沿って所定の三次元エリアの車両側の側面を定めた場合には、乗降客が所持する物体やプラットホーム側から突き出された物が車両に当たる可能性があることを検知でき、建築限界に沿って所定の三次元エリアの車両側の側面を定めた場合には、このまま車両が発車すると、車両から突出した物体が乗降客または建築物に当たる可能性があることを検知することができる。
【００１４】
また、前記所定の三次元エリアの前記車両側の側面を、前記三次元カメラから得られた三次元データのうち、前記車両の側壁に相当するデータから構成される面に基づいて設定することもできる。
【００１５】
このように構成すると、プラットホームの一部が曲線となっているカーブ駅で、そのカーブしている部分にプラットホームドアが設置されていても、車両の停車位置に影響を受けることなく、正確に乗降客や突出物を検知することができる。
【００１６】
また、前記三次元エリアは、プラットホームの床を含むものにできる。この場合、前記抽出された三次元データは前記床に相当する部分を含む。前記演算部において、前記抽出された三次元データまたは当該抽出された三次元データ中で隣接する三次元データの変化率が三次元カメラ取付状態確認用の所定値と比較される。
【００１７】
三次元カメラは、車両に乗降する人が通過する可能性のある場所に取り付けられることがある。このような場合、人が三次元カメラに接触して、三次元カメラの取付状態が変更されることがある。この取付状態の変更にきづかずに上述したように抽出された三次元データと所定値との比較が行われると、誤検知を行う可能性がある。そこで、プラットホームの床を三次元エリアに含ませておくと、人が三次元カメラに接触した場合、床に対する三次元データが予め定めた三次元カメラ取付状態確認用の所定値と異なった値となったり、三次元データの隣接するものの変化率が予め定めた三次元カメラ取付状態確認用の所定値と異なったりする。これを検知することによって、三次元カメラの取付状態を確認することができる。
【００１８】
前記演算部は、前記抽出された三次元データまたは当該抽出された三次元データ中で隣接する三次元データの変化率に代えて、前記抽出された三次元データに基づいて決定された前記三次元カメラから前記所定のエリアが前記床と交差する部分までの距離を算出し、この距離を前記三次元カメラ取付状態確認用の所定値と比較することもできる。距離は、例えば三次元データの変化率の大きい位置を交差部分と決定し、この位置と三次元カメラとの距離を求めることによって得られる。
【００１９】
このように所定エリアの床との交差部分と、三次元カメラとの間の距離を求めて、この距離を所定値と比較するので、高精度に三次元カメラの取付状態が変化したか否を検知できる。
【発明の効果】
【００２０】
以上のように、本発明によれば、プラットホームドアと車両との間に取り残された乗降客を検知でき、さらに車両内部から突出した物体があった場合、その物体が車両運行上問題があるか否か判断できる。
【図面の簡単な説明】
【００２１】
【図１】本発明の第１の実施形態のプラットホームドアの安全装置を実施したプラットホームドアの平面図である。
【図２】図１の安全装置のブロック図である。
【図３】図１の安全装置における距離画像センサの処理領域を示す平面図である。
【図４】図１の安全装置における距離画像センサの処理領域を示す側面図である。
【図５】図１の安全装置における距離画像センサの処理領域を示す斜視図である。
【図６】図１の安全装置における演算部が行う処理の一部を示すフローチャートである。
【図７】図１の安全装置における演算部が行う処理の残りの部分を示すフローチャートである。
【図８】本発明の第２の実施形態のプラットホームドアの安全装置の処理領域を示す平面図である。
【図９】本発明の第３の実施形態のプラットホームドアの安全装置の画像距離センサの取付状態の変化を示す側面図である。
【図１０】本発明の第３の実施形態のプラットホームドアの安全装置の演算部が行う処理を示すフローチャートである。
【発明を実施するための形態】
【００２２】
本発明の第１の実施形態のプラットホームドアの安全装置は、図１に示すようなプラットホームドア１に取り付けられている。プラットホームドア１は、プラットホーム２の縁部から所定の距離の位置に設けられている。プラットホームドア１では、ドア開口となる間隔をあけてプラットホーム２に沿って１対の戸袋４が配置されている。これら戸袋４間のドア開口を開閉するように、戸袋４からプラットホーム２に沿って１対のスライドドア６が互いに反対方向に進退する。なお、スライドドア６、６がドア開口を閉じている状態において、スライドドア６、６の戸先に、プラットホーム２に停止した車両８の車両ドア１０、１０の戸先が位置するように、プラットホームドア１は設置されている。符号１１で示すのは、車両８の側壁である。
【００２３】
このプラットホームドア１と車両８との間の空間の鎖線で示す、三次元エリア、例えば撮像空間１２を撮像するために、この実施形態では一方の戸袋４の高さ方向の中途に三次元カメラ、例えばＴＯＦ(Time-of-Flight)距離画像センサ１４が取り付けられている。撮像空間１２は、車両ドア１０、１０が含まれるように車両８に対して斜めになるように設定されている。距離画像センサ１４は、投光器、例えばＬＥＤと２次元に配列された複数の撮像素子とを有し、投光器から照射され反射して各撮像素子に帰ってくる光の到達時間を計測して、物体までの距離を求めるもので、撮像素子ごとに物体までの距離を計測可能である。即ち、二次元の距離データ、すなわち三次元データを計測可能である。なお、本実施例では、この二次元の距離データを距離画像とも表記する。
【００２４】
この距離画像センサ１４からの二次元の距離データは、図２に示すように、演算部１６に伝送され、ここで処理が行われ、プラットホーム２に乗降客が取り残されているか、或いは車両８の車両ドア１０の戸先間から所定の長さ以上に突出部、例えば車両８内の乗客の傘やバッグが突出しているか否かを検出し、上位システム１８に通知する。
【００２５】
演算部１６では、図３乃至図５に示すように距離画像センサ１４から得られる距離画像、即ち、二次元距離データの全てを使用するのではなく、所定の三次元エリア、例えば処理領域２０内の二次元距離データのみを使用する。処理領域２０の車両８側の側面２０ａは、車両８がプラットホーム２上の建築物に接触しないように予め定められた車両限界またはプラットホーム２上の建築物が車両８に接触しないように定められた建築限界に一致するように予め定められている。プラットホーム２に沿う方向の両側にある端面２０ｂ、２０ｃは、車両８の側壁１１のドア６側の端部よりも幾分外側（ドア６の開放方向側）の位置に定められている。また処理領域２０のプラットホームドア側の側面２０ｄは、プラットホームドアのごく近辺の位置に定められ、処理領域２０の下面はプラットホーム２の床面に定められ、上面は車両ドア１０の上面よりよりも幾分高い位置に定められている。
【００２６】
このように二次元距離データの全てを使用せずに、処理領域２０内のデータに限っているのは、次の理由による。撮像領域１２の全てのデータを使用すると、例えば光や電波を用いた距離画像センサ１４のデータでは、センサから放射された光や電波が車両８等に直接に入射する場合だけでなく、車両８の他の部分やプラットホームドア或いはプラットホーム２との間を何度も反射した光や電波が距離画像センサ１４に入射することがある。その結果、光路長が長くなる結果、距離画像センサ１４で検知される距離値があり得ない距離値、例えば車両８内部を示す距離値やプラットホーム２の床下を示すような距離値となることがあり、処理の効率や精度が悪くなるからである。
【００２７】
この処理領域２０は、更に第１及び第２の処理領域２２、２４に区画されている。第１の処理領域２２は、車両８のドア１０、１０の戸先からプラットホーム２の長さ方向に沿って所定の長さの領域であり、第２の処理領域２４は、第１の処理領域２２の両側の残りの領域である。第1の処理領域２２の長さは、第２の処理領域２４の長さよりも短い。
【００２８】
演算部１６では、第１及び第２の処理領域２２、２４の２次元距離データと、第１及び第２の処理領域２２、２４用にそれぞれ個別に設定した第１及び第３の所定値、例えば検査用のしきい値とを比較し、処理領域２２、２４内に物体が存在するか否かを判断している。第１及び第２の処理領域２２、２４を合わせた処理領域２０全体の距離データと、処理領域２０の検査用の１つのしきい値とを比較することも考えられる。しかし、検査用のしきい値の値を大きくすると、例えば細長い突出物を検知することができなくなる。逆に小さくすると、例えばノイズの影響で、車両内部から突出する可能性がない処理領域２４で細長い突出物があると誤検知をする可能性がある。そこで、第１及び第２の処理領域２２、２４に分けて、第１及び第２の処理領域２２、２４それぞれに適した検査用のしきい値を定めて、確実な検知を行いつつ、誤検知を最小限に抑えている。
【００２９】
更に、第１の処理領域２２では、図３に示すように第１の処理領域２２に車両８のドア１０の戸先から突出した突出部Ａを検出することを主な目的としているので、第１の処理領域２２の各処理データのうち隣接する画素の距離データの変化率、例えば隣接画像の距離データの差分値が、第２の所定値、例えば予め定めた突出物検出用しきい値以上の大きさである複数の点で区画される部分のデータについてのみ、第１の処理領域２２用の検査用のしきい値と比較している。例えば二次元画像から突出部Ａを検出しようとすると、車両８がプラットホーム２に入ってきて、停車した直後で、まだドア１０が開いていない状態（即ち、突出部Ａが存在していない状態）の画像を基準画像として記憶しておき、ドア１０が開いて乗降客が乗り降りしてドア１０が閉じられた状態の画像と上記の基準画像とを比較することによって、突出部Ａが存在するか否か検出することになる。そのため、上記ドア１０が開いていない状態の画像を記憶する手間が必要であるが、ドア１０が開いていない状態であることは駅舎の上位システムからの信号に基づいて判断するため、仮に上位システムからの信号に不具合や遅延があった場合に、誤った基準画像が得られることになり、問題がある。一方、隣接画像の距離データの変化率を求める場合には、このような画像の記憶の手間が不要となり、処理が簡単になるうえ、上記のような問題も発生しない。
【００３０】
演算部１６が第２の処理領域２４用に行う検知処理を図６に示す。まず、距離画像センサ１４から得られた距離画像のうち、第２の処理領域２４に相当する部分を抽出する（ステップＳ２）。次に、抽出された距離画像と第２の処理領域２４の検査用のしきい値と比較し、例えば、このしきい値を超えた画素の数あるいは面積が所定以上あるか否かで、第２の処理領域２４内に所定の大きさ以上の人又は物体が存在しているか判断する（ステップＳ４）。この判断の答えがノーの場合には、第２の処理領域２４用の検知処理を終了する。ステップＳ４の判断の答えがイエスの場合には、上位システム１８に対して、取り残された乗客が存在する旨を通知し（ステップＳ６）、第２の処理領域２４用の検知処理を終了する。
【００３１】
演算部１６が、第１の処理領域２２用に行う検知処理を図７に示す。まず、距離画像センサ１４から得られた距離画像のうち、第１の処理領域２２に相当する部分を抽出する（ステップＳ８）。抽出された第1の処理領域２２の距離画像の隣接する画素の距離値の差分を取り、差分画像を生成する（ステップＳ１０）。この差分画像において差分の全てが、突出部の縁が存在するか否かを決定するしきい値（このしきい値は、プラス側とマイナス側の２つある）よりも小さいか判断する（ステップＳ１２）。この判断の答えがイエスの場合、第１の処理領域２２内には車両８からの突出物や乗降客は存在しないので、この第１の処理領域２２用の検知処理を終了する。
【００３２】
ステップＳ１２の判断の答えがノーの場合、第１の処理領域２２内に車両８からの突出物があるかプラットホーム２上に乗降客が取り残されている可能性があるので、差分画像の隣接する画素の差分が所定値以上ある画素で区画された閉じた領域を抽出する（ステップＳ１４）。この閉じた領域の距離値で構成される立体が、第１の処理領域の検査用しきい値（突出物が第１の処理領域２２に実際に所定量以上突出しているか否かを決定するしきい値）以上の大きさであるか判断する（ステップＳ１６）。なお、この検査用しきい値は、第２の処理領域２２用の所定値と値が異なる。なお、車両８のドア１０付近に乗降客が取り残されている場合にも、この検査用しきい値によって検知することができる。
【００３３】
ステップＳ１６の判断の答えがノーの場合、第１の処理領域２２内には車両８からの突出物や乗降客は存在しないので、この第１の処理領域２２用の検知処理を終了する。ステップＳ１６の判断の答えがイエスの場合、第１の処理領域２２内に車両８から突出物が突出しているかプラットホーム２上に乗降客が取り残されている旨を上位システム１８に通知する（ステップＳ１８）。この通知は、第２の処理領域２４において乗降客が取り残されている旨の通知とは異なったものを使用し、両者を上位システム１８において区別できるようにしてある。
【００３４】
なお、距離画像センサ１４のＬＥＤの連続運転時間は、２．５万乃至３万時間程度であり、周囲温度の影響を受けて更に短くなる。製品としての寿命を延ばすために、ＬＥＤの発光時間を制限すればよいので、常時ＬＥＤを点灯するのではなく、距離画像センサ１４を動作させる必要のあるときのみＬＥＤを発光させるようにしている。例えば、車両がプラットホームに入っていて、車両のドアが閉じて発車しようとするときに、人や物体がプラットホームドアと車両との間に存在しないことや、車両のドアから突出物が突出しているか否を検知するような場合、車両がプラットホームに入っていることを表す在線検知信号が出力されているときであって、ドアコントローラが車両のドアを閉じ始めたときに同期してＬＥＤを点灯させ、車両のドアが閉じ始めたときからドアが閉じて車両が発車するのに必要な時間よりも幾分長く設定した時間だけ、ＬＥＤ３の点灯を継続するように、ＬＥＤを点灯制御する。
【００３５】
本発明の第２の実施形態のプラットホームドアの安全装置を図８に示す。第１の実施形態のプラットホームドアの安全装置では、処理領域２０の車両８側の側面の位置は、車両限界または建築限界に沿って定められている。プラットホーム２の直線上の部分にプラットホームドアを設置する場合には、上記のように車両限界または建築限界に基づいて処理領域２０の車両８側の側面２０ａの位置を定めている場合、車両８のプラットホーム２での停車位置が多少ずれても、距離画像センサ１４から車両限界または建築限界までの距離はほぼ一定であり、問題は生じない。しかし、プラットホーム２のカーブしている部分に、プラット−ホームドアを設置する場合、車両８の停止位置が多少ずれると、距離画像センサ１４に対する車両８の角度が図８に示すようにずれるので、車両限界または建築限界に基づいて処理領域２０の車両８側の側面２０ａの位置を予め定めておくと、検知不能の領域が大きくなる。そこで、第２の実施形態のプラットホームドアの安全装置では、距離画像センサ１４によって車両８の側壁１１、１１を検出し、その側壁１１、１１から法線方向に所定距離、例えば５０ｍｍだけプラットホーム２側の平面を、処理領域２０の車両８側の面２０ａの位置としている。これによって、車両８の停車位置がずれても、検知不能の領域が大きくなることを防止できる。他の構成は、第１の実施形態のプラットホームドアの安全装置と同一であるので、同一部分には同一符号を付して、その説明を省略する。
【００３６】
第３の実施形態のプラットホームのドア安全装置を図９乃至図１０に示す。この実施形態のプラットホームドアの安全装置では、第１の実施形態と同じ手法によって車両８からの突出物の検知や、人や物体の検知を行っている。但し、図９（ａ）に示すように、距離画像センサ１４が、戸袋４の下端に、車両に対して斜めになるように車両側を向きながら、幾分上方を向くようにも傾けて設置されている。戸袋４の下端に設けたため、乗降客が誤って距離画像センサ１４に接触し、同図（ｂ）に示すように距離画像センサ１４の傾きが変化することがある。或いは、車両の通行による振動によって距離画像センサ１４の傾きが変化することがある。即ち、距離画像センサ１４の取付状態が変化することがある。距離画像センサ１４の取付状態が変化すると、処理領域２０の位置が変化し、車両からの突出物、人、物体を正確に検知できない。従って、距離画像センサ１４の取付状態は、予め定められたものに維持されているか否かを検知する必要がある。
【００３７】
また、この検知のために距離画像センサ１４に傾き検知用センサを設けたのではコストアップとなる。そこで、距離画像センサ１４から得られる距離画像を使用して、取付状態が変化しているか否かを演算部１６において判定している。
【００３８】
図９（ａ）に示すよう距離画像センサ１４が取り付けられている状態において、処理領域２０の下面がプラットホーム２の床面に交差する位置が矢印で示すようにある。同図（ｂ）に示すように距離画像センサ１４の傾斜が変化した場合、この交差する位置は、矢印で示すように変化する。従って、この交差位置の変化を見ることによって距離画像センサ１４の傾きが変化しているか否かを判定することができる。交差位置を求めずに、正常に距離画像センサ１４が取り付けられている状態において、距離画像センサ１４の距離画像のうち床面に相当する部分を基準値として記憶し、取付状態を確認する必要のあるときの距離画像センサ１４の距離画像のうち床面に相当する部分を上記基準値と比較することも考えられる。この場合、基準値に或る程度の許容範囲を持たせる必要があり、微妙な位置変化を検知することができない。
【００３９】
そこで、例えば距離画像センサ１４の距離画像のうち床面に相当する部分の各画素の隣接するものとの差分値を求め、これら差分値の変化率の大きい位置を交差位置と判定する。差分値を使用すると、微妙な位置変化が強調されるので、微妙な位置変化も検出することができる。この交差位置は、一点だけ求めてもよい。この場合、記憶量を減少させることができる。但し、距離画像センサ１４の鉛直方向の回転を検知できない。図９の紙面の表裏方向の一ライン上の差分画像を使用すれば、鉛直方向の回転を検知できるが、記憶量が多くなる。一ライン上の全ての差分画像ではなく、所定複数個数の差分画像を基に交差位置を求め、その平均値を記憶としても構わない。
【００４０】
この交差位置の変化を知るために、まず正常に取り付けられている状態での基準値を取得する。即ち、図１０（ａ）に示すように、処理領域２０の距離画像のうち床面に相当する部分を抽出する（ステップＳ２０）。次に、距離画像の隣接する画素の距離値の差分を取り、差分画像を生成する（ステップＳ２２）。この差分画像の変化率が変わる位置と距離画像センサ１４との距離を床端面距離とし、この床端面距離を基準床端面距離として記憶する（ステップＳ２４）。次に、差分画像も基準差分画像として記憶する（ステップＳ２６）。
【００４１】
そして、距離画像センサ１４の取付確認をする必要があるとき、同図（ｂ）に示すように処理領域２０の距離画像のうち床面に相当する部分を抽出する（ステップＳ２８）。次に、距離画像の隣接する画素の距離値の差分を取り、差分画像を生成し、この差分画像を基に床端面距離を床端面距離として記憶する（ステップＳ３０）。そして、ステップＳ３０で取得した床端面距離と基準床端面距離とがほぼ一致するか判断する（ステップＳ３２）。この判断の答えがノーの場合、メンテナンスを要求する信号を外部に出力し（ステップＳ３４）、この処理を終了する。ステップＳ３２の判断の答えがイエスの場合、ステップＳ３０で取得した差分画像と基準差分画像とが略一致するか判断する（ステップＳ３６）。この判断の答えがノーの場合、ステップＳ３４を実行して、この処理を終了する。ステップＳ３６の判断の答えがイエスの場合、距離画像センサ１４の取付状態に変化はないので、この処理を終了する。
【００４２】
なお、この取付確認は、例えば物体検知を行う際に行うことができる。これによって、単に距離画像センサ１４の位置が変化したことによる誤検知を防止することができる。或いは、プラットホームドアの開動作が行われる直前に行うこともできるし、車両がプラットホーム２に入ってきているが、まだドアが開いていないときに行うこともできる。或いは一定の期間の経過ごとに行うこともできる。
【００４３】
床端面距離と差分画像の両方を用いて取付位置の確認を行ったが、いずれか一方のみを使用して取付位置の確認を行ってもよい。また、差分画像ではなく、床面に相当する距離画像そのものを使用して、取付位置の確認を行うこともできる。
【００４４】
上記の各実施形態では、三次元カメラとしてＴＯＦ方式の距離画像センサを使用したが、これに限ったものではなく、例えばストライプ状の光を車両８側にスキャンしながら照射し、反射してくる形状をＣＣＤ等で読み取って三次元データを検知するスキャン方式や、２台のカメラを使用して三角測量の原理で距離を算出して三次元データを検知するステレオビジョン方式のものや、車両８側に投影した特定のパターンを１台のカメラで撮像し、投影したパターンの変形等から三次元データを検知する方式を使用することもできる。上記の各実施形態では、第１及び第２の処理領域２２、２４に処理領域２０を分けて、乗降客や突出物が存在するか検知したが、幾分検知精度は低下するが、処理領域２０全体で乗降客や突出物が存在するか検知することも可能である。上記の実施形態では、距離画像センサ１４はプラットホームドア１側に設置したが、車両８側に設置することもできる。また第１及び第２の実施形態では、距離画像センサ１４を戸袋４の高さ方向の中途に設けているが、これに限られず、第３の実施形態のように戸袋４の下端に設けられていてもよく、更に第３の実施形態では、距離画像センサ１４を戸袋４の下端に設けていたが、これに限られず、第１及び第２の実施形態のように戸袋４の高さ方向の中途に設けてもよい。
【符号の説明】
【００４５】
１  プラットホームドア
２  プラットホーム
８  車両
１４  距離画像センサ（三次元カメラ）
１６  演算部
【図１】
2011093514.tif 000003
【図２】
2011093514.tif 000004
【図３】
2011093514.tif 000005
【図４】
2011093514.tif 000006
【図５】
2011093514.tif 000007
【図６】
2011093514.tif 000008
【図７】
2011093514.tif 000009
【図８】
2011093514.tif 000010
【図９】
2011093514.tif 000011
【図１０】
2011093514.tif 000012